(57)【特許請求の範囲】
【請求項１】
上下の管寄せと管寄せ間に多数の水管を設置し、上部管寄せに接続した気水分離器を通して蒸気を取り出している多管式貫流ボイラにおいて、気水分離器と下部管寄せのそれぞれに連絡管で接続した第一水位検出筒、上部管寄せと下部管寄せのそれぞれに連絡管で接続した第二水位検出筒、第一水位検出筒内に水位Ｅ１での水の有無を検出する水位電極棒Ｅ１と水位Ｅ１よりも低位である水位Ｅ２での水の有無を検出する水位電極棒Ｅ２、第二水位検出筒内に第一水位検出筒の水位Ｅ２よりも低位である水位ＥＫでの水の有無を検出する水位電極棒ＥＫをそれぞれ設け、各水位電極棒はボイラの給水を制御する給水制御装置に電気的に接続しておき、給水制御装置は、水位電極棒Ｅ２が水無しを検出すると給水開始の出力を行い、給水によって水位電極棒Ｅ１が水有りを検出すると給水停止の出力を行うことと、水位電極棒ＥＫが水無しを検出した場合にも給水開始の出力を行い、給水によって水位電極棒Ｅ１が水有りを検出すると給水停止の出力を行うものであり、給水制御装置による給水は、通常は水位電極棒Ｅ２が水無しを検出すると給水を開始するようにすることによって、水位を水位Ｅ１と水位Ｅ２の間に保つが、水位電極棒ＥＫが水無しを検出することによって給水を開始した場合には、給水を開始してからの経過時間を検出し、経過時間が予め定めておいた所定時間に達しても水位電極棒Ｅ１が水有りを検出しなかった場合には、第一水位検出筒を異常と判断するものであることを特徴とする二つの水位検出筒を持った給水制御装置。
【請求項２】
請求項１に記載の二つの水位検出筒を持った給水制御装置において、第一水位検出筒を異常と判断した場合には、給水制御装置は水位電極棒ＥＫの水無し検出による給水開始より所定時間経過後に給水停止の出力を行うものであることを特徴とする二つの水位検出筒を持った給水制御装置。
【発明の詳細な説明】
【０００１】
【産業上の利用分野】
本発明は二つの水位検出筒を持った給水制御装置に関するものである。
【０００２】
【従来の技術】
多管式貫流ボイラの上部の蒸気部と下部の缶水部のそれぞれに接続された水位検出筒を二つ設け、二つの水位検出筒内に設けた水位電極棒によって水位を検出し、給水を制御することが行われている。特開平１−２６６４０４の場合、最適水位が起動時と連続燃焼時では異なる多管式貫流ボイラであっても、第一の水位検出筒は気水分離器と下部管寄せを接続し、第二の水位検出筒は上部管寄せと下部管寄せを接続しておき、二つの水位検出筒によって水位を検出して給水を制御することで、最適な水位とすることができ、水面のおどりによる缶水異常も防止できる。また、特開平４−２４４０２のように上部管寄せと下部管寄せに接続した水位検出筒内に設けた水位電極棒が水無しを検出した場合には、一定時間の給水を行うことで低水位異常を防止することも行われていた。
【０００３】
しかし、例えば水位検出筒と下部管寄せを接続する連絡管に詰まりが発生した場合には、缶内水位が変動しても水位検出筒内の水位は変動しないため、正常な給水制御を行うことができなくなる。水位検出筒内の水位電極棒に異常が発生した場合には異常の報知が行われているが、水位検出筒自体に異常が発生した場合には異常の発生を判断することは行われていなかった。
【０００４】
【発明が解決しようとする課題】
本発明が解決しようとする課題は、水位検出筒自体の異常を検出し、正常な給水制御を行えるようにした給水制御装置を提供することにある。
【０００５】
【課題を解決するための手段】
上下の管寄せと管寄せ間に多数の水管を設置し、上部管寄せに接続した気水分離器を通して蒸気を取り出している多管式貫流ボイラにおいて、気水分離器と下部管寄せのそれぞれに連絡管で接続した第一水位検出筒、上部管寄せと下部管寄せのそれぞれに連絡管で接続した第二水位検出筒、第一水位検出筒内に水位Ｅ１での水の有無を検出する水位電極棒Ｅ１と水位Ｅ１よりも低位である水位Ｅ２での水の有無を検出する水位電極棒Ｅ２、第二水位検出筒内に第一水位検出筒の水位Ｅ２よりも低位である水位ＥＫでの水の有無を検出する水位電極棒ＥＫをそれぞれ設け、各水位電極棒はボイラの給水を制御する給水制御装置に電気的に接続しておき、給水制御装置は、水位電極棒Ｅ２が水無しを検出すると給水開始の出力を行い、給水によって水位電極棒Ｅ１が水有りを検出すると給水停止の出力を行うことと、水位電極棒ＥＫが水無しを検出した場合にも給水開始の出力を行い、給水によって水位電極棒Ｅ１が水有りを検出すると給水停止の出力を行うものであり、給水制御装置による給水は、通常は水位電極棒Ｅ２が水無しを検出すると給水を開始するようにすることによって、水位を水位Ｅ１と水位Ｅ２の間に保つが、水位電極棒ＥＫが水無しを検出することによって給水を開始した場合には、給水を開始してからの経過時間を検出し、経過時間が予め定めておいた所定時間に達しても水位電極棒Ｅ１が水有りを検出しなかった場合には、第一水位検出筒を異常と判断する。
【０００６】
【発明の実施の形態】
本発明の一実施例を図面を用いて説明する。ボイラ１は上部管寄せ２と下部管寄せ３の間に多数の水管４を持ち、上部管寄せ２には蒸気連絡管を通じて気水分離器５が接続され、下部管寄せ３には給水配管６が接続されている。ボイラは水管４を加熱することで水管４内の水を蒸発させるものであり、蒸気は上部管寄せ２から気水分離器５に送られて気液分離され、分離された蒸気は蒸気使用機器（図示せず）へ、蒸気に含まれていた水分は下部管寄せ３へ戻される。給水は下部管寄せ３に接続された給水配管６を通して行われ、給水配管６途中には給水ポンプ７を設けておく。
【０００７】
ボイラの水位は、気水分離器５および下部管寄せ３に接続された第一水位検出筒８と、上部管寄せ２および下部管寄せ３に接続された第二水位検出筒９によって検出される。第一水位検出筒８には、水位Ｅ１での水の有無を検出する水位電極棒Ｅ１、水位Ｅ１よりも低位である水位Ｅ２での水の有無を検出する水位電極棒Ｅ２を設け、第二水位検出筒９には第一水位検出筒８の水位Ｅ２よりも低位である水位ＥＫでの水の有無を検出する水位電極棒ＥＫ、水位ＥＫよりも低位である水位Ｅ３での水の有無を検出する水位電極棒Ｅ３を設ける。
【０００８】
各水位電極棒は、水位を判断し給水を制御する給水制御装置１０に電気的に接続しておき、給水制御装置１０は、水位電極棒によって検出される水有りまたは水無しの信号によって水位を求め、水位に応じて給水ポンプ７の稼動を制御する。
給水制御装置１０は、水位電極棒Ｅ２より水無し検出の信号が入力されると、給水ポンプ７に対して稼動開始の出力を行い、給水を行う。給水を行うことによって水位が上昇し、水位電極棒Ｅ１より給水制御装置１０へ水有り検出の信号が入力されると、給水制御装置１０は給水ポンプ７に対して稼動停止の出力を行い、給水を停止する。
【０００９】
通常は水位が水位Ｅ２未満となると給水が開始されるため、水位は水位Ｅ１と水位Ｅ２の間に保たれるが、給水制御装置１０は、水位電極棒ＥＫより水無し検出の信号が入力された場合も、給水ポンプに対して稼動開始の出力を行い、給水を行う。水位電極棒ＥＫによって給水を開始した場合も給水の停止は水位電極棒Ｅ１からの信号に基づいて行われ、水位電極棒Ｅ１より水有り検出の信号が入力されると給水ポンプに対して稼動停止の出力を行う。また、給水制御装置１０は水位電極棒ＥＫの水無し検出により給水を開始した場合には、給水を開始してからの経過時間を計測する。通常は水位電極棒ＥＫよりも高い位置に設置している水位電極棒Ｅ２での水無し検出に基づいて給水を開始するようにしているのに、水位電極棒Ｅ２よりも低位である水位電極棒ＥＫでの水無し検出に基づいて給水を開始することになり、さらに水位電極棒ＥＫの水無し検出による給水を開始してからの経過時間が予め定めておいた所定時間に達しても水位電極棒Ｅ１が水有りを検出しなかった場合には、給水制御装置１０は第一水位検出筒８に異常が発生したと判断して異常の出力を行う。この異常の原因としては、第一水位検出筒８と下部管寄せ３を結ぶ連絡管の詰まりなどがある。
【００１０】
第一水位検出筒８と下部管寄せ３を結ぶ連絡管が詰まり、流体が流れなくなった場合、ボイラ内の水位が変動しても第一水位検出筒８内の水位は変動せず、第一水位検出筒８では正常な水位を検出することができなくなる。その場合には水位電極棒ＥＫによる水無し検出にて給水が行われる。第一水位検出筒８に異常が発生しており、水位電極棒Ｅ１が水有りを検出できない場合には、給水制御装置１０は水位電極棒ＥＫの水無し検出による給水開始より所定時間経過後に、給水ポンプに対して稼動停止の出力を行い給水を停止させる。
【００１１】
なお、水位電極棒Ｅ３は低水位異常検出用の電極棒であり、水位電極棒Ｅ３が水無しを検出した場合にはボイラの燃焼を停止する。
【００１２】
【発明の効果】
本発明を実施することにより、水位検出筒自体の異常を判断することができるので水位調節の信頼性を向上させることができ、水位検出筒に異常が発生しても所定の水位に保つことができる。
【図面の簡単な説明】
【図１】  本発明の一実施例の概要図
【符号の説明】
１  ボイラ
２  上部管寄せ
３  下部管寄せ
４  水管
５  気水分離器
６  給水配管
７  給水ポンプ
８  第一水位検出筒
９  第二水位検出筒
１０  給水制御装置
Ｅ１  給水停止水位
Ｅ２  給水開始水位
Ｅ３  燃焼停止水位
ＥＫ  給水開始水位
【図１】
0004059573.tif 000002